(57)【要約】【課題】オーダーメイトのガイドブックデータを利用し簡単な操作で旅行先の案内を含むアルバムを自動的に作成できる旅行アルバム提供システムとガイドブックと旅行アルバム提供プログラムを実現する。【解決手段】  単位エリア毎に生成された旅行案内データ２８群を記憶した記憶装置２６と、旅行案内データ２８群中から選択情報３０を取得するデータ選択制御手段６０と、選択された旅行案内データ２８を取得してガイドブックデータ２９を生成するガイドブック４７編集手段４０と、ガイドブックデータ２９を出力処理するガイドブック出力手段４２とを備えた。【選択図】図１
2005275770.tif 000002
【特許請求の範囲】
【請求項１】
単位エリア毎に生成された旅行案内データ群を記憶した記憶装置と、
前記旅行案内データ群中から任意の旅行案内データを選択するための、選択画面を表示して、その結果を示す選択情報を取得するデータ選択制御手段と、
前記選択情報を受け入れて、選択された前記単位エリアの旅行案内データを取得し編集して、ガイドブックデータを生成するガイドブック編集手段と、
前記ガイドブックデータを出力処理するガイドブック出力手段とを備え、
前記旅行案内データには、
予め選定した写真撮影場所の表示と、当該写真撮影場所で撮影した写真を添付するための写真枠とを含めたことを特徴とする旅行アルバム提供システム。
【請求項２】
請求項１に記載の旅行アルバム提供システムにおいて、
ガイドブック編集手段が編集したガイドブックデータであって、写真撮影場所の表示と、当該写真撮影場所で撮影した写真を添付するための写真枠とを含むものについて、アルバム加工用の編集操作を受け付けるアルバム編集手段を設けたことを特徴とする旅行アルバム提供システム。
【請求項３】
単位エリア毎に生成された旅行案内データ群中から選択された任意の旅行案内データを編集して成り、
当該旅行案内データには、
予め選定した写真撮影場所の表示と、当該撮影場所で撮影した写真を添付するための写真枠とを含めたことを特徴とするガイドブック。
【請求項４】
請求項１に記載の旅行アルバム提供システムにおいて、
前記写真枠中に、他の写真枠と区別するための識別情報の表示を含め、
いずれかの写真枠に貼り付けるべきディジタル画像データをネットワークを通じて取得し、前記ディジタル画像データに含まれた識別情報といずれかの写真枠中に表示された識別情報とが一致したとき、当該写真枠中に、前記ディジタル画像データを貼り付けて、前記ガイドブックデータとディジタル画像データの合成処理を実行するアルバム編集手段を備えたことを特徴とする旅行アルバム提供システム。
【請求項５】
請求項４に記載の旅行アルバム提供システムにおいて、
前記記憶装置には、利用者の携帯端末のメールアドレスと旅行日を含むアルバム編集情報を記憶し、
該当する旅行日以前に前記メールアドレスに対して、アルバム用データ要求メールを送信して、前記携帯端末から返信されたアルバム用データを取得するメール管理手段と、
前記アルバム用データを、前記ガイドブックデータの該当する写真枠中に貼り付けて、前記ガイドブックデータとディジタル画像データの合成処理を実行するアルバム編集手段を備えたことを特徴とする旅行アルバム提供システム。
【請求項６】
請求項５に記載の旅行アルバム提供システムにおいて、
アルバム用データには、旅行先で撮影されたディジタル画像データと任意のメッセージを含めたことを特徴とする旅行アルバム提供システム。
【請求項７】
コンピュータを、
単位エリア毎に生成された旅行案内データ群を記憶した記憶装置と、
前記旅行案内データ群中から任意の旅行案内データを選択するための、選択画面を表示して、その結果を示す選択情報を取得するデータ選択制御手段と、
前記選択情報を受け入れて、選択された前記単位エリアの旅行案内データを取得し編集して、ガイドブックデータを生成するガイドブック編集手段と、
前記ガイドブックデータを出力処理するガイドブック出力手段とを備え、
前記旅行案内データに、予め選定した写真撮影場所の表示と、当該写真撮影場所で撮影した写真を添付するための写真枠とを含めたものを出力するもの、
として機能させる旅行アルバム提供プログラム。
【発明の詳細な説明】
【技術分野】
【０００１】
本発明は、任意の希望する行き先の旅行案内を選択して編集したガイドブックを提供するシステムを利用して、ガイドブックに旅行先の記念写真等を貼り付けたアルバムの自動的な作成を可能にする、旅行アルバム提供システムとガイドブックと旅行アルバム提供プログラムに関する。
【背景技術】
【０００２】
旅行には、ガイドブックを欠かすことができない。しかしながら、具体的で詳細な案内の記載されたガイドブックは、訪問先以外の不要な記事が多すぎて荷物になる。一方、軽くて薄いガイドブックは、訪問先の情報も不足することが多い。そこで、出版社に対して必要な記事のみを指定して購入することができるようなシステムも開発されている（特許文献１参照）。
【特許文献１】特開２００３−６２９２号公報
【発明の開示】
【発明が解決しようとする課題】
【０００３】
旅行先では記念写真を撮影する。しかし、最適な撮影場所を選択するのは容易でない。また、旅行終了後に、撮影した写真がどの場所で撮影されたものか、判定に迷うこともある。さらに、旅行記念のアルバムを作るには撮影場所等を記入したりする作業が必要で、得手不得手によって、アルバムの出来映えの個人差が激しいという問題があった。
本発明は以上の課題を解決するためになされたもので、オーダーメイトのガイドブックデータを利用して、簡単な操作で、旅行先の案内を含むアルバムを自動的に作成できる、旅行アルバム提供システムとガイドブックと旅行アルバム提供プログラムを実現することを目的とする。
【課題を解決するための手段】
【０００４】
本発明の各実施例においては、それぞれ次のような構成により上記の課題を解決する。
〈構成１〉単位エリア毎に生成された旅行案内データ群を記憶した記憶装置と、上記旅行案内データ群中から任意の旅行案内データを選択するための、選択画面を表示して、その結果を示す選択情報を取得するデータ選択制御手段と、上記選択情報を受け入れて、選択された上記単位エリアの旅行案内データを取得し編集して、ガイドブックデータを生成するガイドブック編集手段と、上記ガイドブックデータを出力処理するガイドブック出力手段とを備え、上記旅行案内データには、予め選定した写真撮影場所の表示と、当該写真撮影場所で撮影した写真を添付するための写真枠とを含めたことを特徴とする旅行アルバム提供システム。
【０００５】
利用者は、旅行先の町や観光地を単位エリアとする旅行案内データを任意に選択して、例えば、一回の観光旅行に必要最小限の情報が掲載されたオーダーメイドのガイドブックを得る。このとき、このガイドブックに、予め選定した写真撮影場所と、その写真撮影場所で撮影した写真を添付するための写真枠を設ければ、その旅行の記念になる写真をガイドブックに貼り付けたアルバムができる。旅行先の案内等を含めたアルバムは、一般のアルバムに比べて旅行記念としての価値が高く、オーダーメイドのガイドブックの販売促進に効果を発揮する。
【０００６】
ガイドブックデータは、ネットワークを通じてダウンロードされるように出力処理されてもよいし、製本されて出力処理されてもよい。写真枠は写真を貼るスペースを明示するものであればよく、形状やサイズは問わない。枠のサイズは写真のサイズと一致する必要は無い。写真の添付方法も任意である。
【０００７】
〈構成２〉構成１に記載の旅行アルバム提供システムにおいて、ガイドブック編集手段が編集したガイドブックデータであって、写真撮影場所の表示と、当該写真撮影場所で撮影した写真を添付するための写真枠とを含むものについて、アルバム加工用の編集操作を受け付けるアルバム編集手段を設けたことを特徴とする旅行アルバム提供システム。
【０００８】
写真撮影場所は、旅行先の撮影ポイントに関する詳しい情報を持つ、出版元で選定するのがよい。アルバムの編集も全て自動化が可能である。しかし、最終的には利用者の希望するデザインのアルバムであることが望ましい。そこで、利用者がガイドブックの発注時に、ガイドブックを再編集し、写真枠の位置を変更したり、写真撮影場所を増減変更する処理ができるようにした。再編集操作の内容は任意である。最終的に利用者がガイドブックのレイアウトをカスタマイズできるようにした。また、再編集処理は、旅行開始前に行ってもよいし、旅行終了後に行ってもよい。利用者から最終的に編集終了メッセージが管理コンピュータに送信される。その後に、アルバムが印刷される。
【０００９】
〈構成３〉単位エリア毎に生成された旅行案内データ群中から選択された任意の旅行案内データを編集して成り、当該旅行案内データには、予め選定した写真撮影場所の表示と、当該撮影場所で撮影した写真を添付するための写真枠とを含めたことを特徴とするガイドブック。
【００１０】
構成１のシステムにより作成されたガイドブックの発明である。
【００１１】
〈構成４〉構成１に記載の旅行アルバム提供システムにおいて、上記写真枠中に、他の写真枠と区別するための識別情報の表示を含め、いずれかの写真枠に貼り付けるべきディジタル画像データをネットワークを通じて取得し、上記ディジタル画像データに含まれた識別情報といずれかの写真枠中に表示された識別情報とが一致したとき、当該写真枠中に、上記ディジタル画像データを貼り付けて、上記ガイドブックデータとディジタル画像データの合成処理を実行するアルバム編集手段を備えたことを特徴とする旅行アルバム提供システム。
【００１２】
写真を貼り付けるための写真枠に数字や記号等で識別表示を施しておき、ディジタルカメラで撮影したディジタル画像データに、利用者が、その識別表示を含める。例えば、画像データファイルの名称や属性データに識別情報を含めればよい。このディジタル画像データを、利用者は、ネットワークを通じて管理コンピュータに送信する。アルバム編集手段は、識別情報に基づいてガイドブックデータとディジタル画像データとを自動的に合成して、アルバムの作成サービスができる。
【００１３】
〈構成５〉構成４に記載の旅行アルバム提供システムにおいて、上記記憶装置には、利用者の携帯端末のメールアドレスと旅行日を含むアルバム編集情報を記憶し、該当する旅行日以前に上記メールアドレスに対して、アルバム用データ要求メールを送信して、上記携帯端末から返信されたアルバム用データを取得するメール管理手段と、上記アルバム用データを、上記ガイドブックデータの該当する写真枠中に貼り付けて、上記ガイドブックデータとディジタル画像データの合成処理を実行するアルバム編集手段を備えたことを特徴とする旅行アルバム提供システム。
【００１４】
利用者の携帯電話等の携帯端末に、メールを送信して、旅行先からアルバム用データの送信を要求すれば、利用者は撮影場所を間違えたり忘れたりしない。しかも、旅行から帰宅すると同時にアルバムが完成するという効果がある。
【００１５】
〈構成６〉構成５に記載の旅行アルバム提供システムにおいて、アルバム用データには、旅行先で撮影されたディジタル画像データと任意のメッセージを含めたことを特徴とする旅行アルバム提供システム。
【００１６】
アルバムに貼り付けた画像データに、任意のメッセージを含めることができれば、アルバムの価値をより高めることができる。
【００１７】
〈構成７〉コンピュータを、単位エリア毎に生成された旅行案内データ群を記憶した記憶装置と、上記旅行案内データ群中から任意の旅行案内データを選択するための、選択画面を表示して、その結果を示す選択情報を取得するデータ選択制御手段と、上記選択情報を受け入れて、選択された上記単位エリアの旅行案内データを取得し編集して、ガイドブックデータを生成するガイドブック編集手段と、上記ガイドブックデータを出力処理するガイドブック出力手段とを備え、上記旅行案内データに、予め選定した写真撮影場所の表示と、当該写真撮影場所で撮影した写真を添付するための写真枠とを含めたものを出力するもの、として機能させる旅行アルバム提供プログラム。
【発明を実施するための最良の形態】
【００１８】
本発明では、オーダーメイドで作成されたガイドブックに、予め出版元側で選定した写真撮影場所の表示と、当該写真撮影場所で撮影した写真を添付するための写真枠とを含める。利用者側でさらに追加変更をしてもよい。ガイドブック自体が記念になり、さらに、その中に記念写真も貼り付けられる。例えば、このガイドブックデータを管理コンピュータに登録しておき、旅行中に携帯電話等を用いて写真やメッセージを送信すると、管理コンピュータ側で自動的にアルバムを編集できる。以下、本発明の実施の形態を実施例毎に詳細に説明する。
【実施例１】
【００１９】
図１は、実施例１の旅行アルバム提供システムを示すブロック図である。
ネットワーク１２には、管理コンピュータ１４とウェブサーバ１６と利用者の端末装置２４が接続されている。図１に示すシステムは、管理コンピュータ１４により制御される。この管理コンピュータ１４は、パーソナルコンピュータあるいはワークステーション等から成る。管理コンピュータ１４の記憶装置２６や演算処理装置３８は、管理コンピュータ１４の本体制御部に内蔵されていても外付けされていても構わない。
【００２０】
管理コンピュータの記憶装置２６には、単位エリア毎に区分された旅行案内データ２８とガイドブックデータ２９と選択情報３０と顧客情報３４とアルバム編集情報３６とアルバムデータ３７とが記憶されている。旅行案内データ２８は、ガイドブックの出版元がそれぞれ単位エリア毎に生成したデータである。選択情報３０は旅行案内データ２８の選択結果を示し、ガイドブック編集の基礎になるデータである。顧客情報３４は、利用者毎に設けられ、ガイドブックの製本等を要求する利用者に関する情報を記録したものである。
【００２１】
管理コンピュータの演算処理装置３８には、次のような機能を持つコンピュータプログラムがインストールされている。ガイドブック編集手段４０は、後で説明するように、ウェブサーバ１６から選択情報３０を受け入れて、選択された単位エリアの旅行案内データ２８を編集して、ガイドブックデータ２９を生成する機能を持つ。ガイドブック出力手段４２は、ガイドブックデータ４７を製本装置４８等を使用して出力処理する機能を持つ。メール管理手段４４は、後で図５を用いて説明するようなメール文を自動的に生成して、利用者の携帯電話等に送信する機能を持つ。アルバム出力手段４６は、アルバム編集手段４５等の処理により編集されたガイドブックデータ２９を利用して、アルバムデータ３７を生成し、指示に従って製本装置４８等によりアルバムを印刷出力する機能を持つ。
【００２２】
なお、管理コンピュータ１４には、ディスプレイ、キーボード、マウス、といったマンマシンインタフェース用ハードウエアが設けられている。ディスプレイはコンピュータで処理をした結果を出力するための任意の構成の表示出力装置である。利用者が管理コンピュータ１４を操作してガイドブックを得ることもできる。そのときは、そのディスプレイに選択画面を表示する。キーボードやマウスはコンピュータに指示を入力するための装置であり、選択情報３０の生成に利用される。これらのマンマシンインタフェース用ハードウエアは、全て既知のものを使用することができるので、図示及び各機能の具体的な説明は省略する。また、管理コンピュータ１４には、製本装置４８とプリンタ４９が接続されている。製本装置４８はガイドブック４７やアルバムを自動的に印刷し製本する装置である。符号１１２は、後述する写真枠を示している。プリンタ４９は、各種の情報のハードコピーを印刷する装置である。
【００２３】
ウェブサーバ１６は、記憶装置５４と演算処理装置５８を備える。これらはウェブサーバ１６に内蔵されていても外付けされていても構わない。記憶装置５４には、選択画面データ５６とガイドブックデータ２９が記憶されている。いずれも、ウェブデータである。ウェブサーバの演算処理装置５８にはデータ選択制御手段６０とアルバム編集手段４５というコンピュータプログラムがインストールされている。ウェブデータは、所定のＵＲＬ（Uniform Resource Locator）を用いて、ネットワーク１２を通じて閲覧可能な状態にされている。ウェブデータは、ＨＴＭＬ（Hyper Text Mark-up Language）等の形式で作成され、ネットワーク１２を通じて利用者の端末装置２４のブラウザにより閲覧可能な形式のデータである。
【００２４】
また、ウェブデータ中には、Vbscript（Visual Basic Script：Microsoft社の開発したプログラミング言語）やJAVA（登録商標）（Sun Microsystems社の開発したプログラミング言語）等で記述したコンピュータプログラムが含まれている。選択画面８２（図２）は、登録された旅行案内データ２８中から任意の旅行案内データ２８を選択するための画面であり、データ選択制御手段６０はその結果を示す選択情報３０を取得するコンピュータプログラムである。図１に示すネットワーク１２は、インターネットやイントラネット（ＬＡＮ、ＷＡＮ）、電話回線網、等の各種の任意の情報通信用ネットワークである。有線ネットワークでも無線ネットワークでも構わない。
【００２５】
アルバム編集手段４５は、利用者の端末装置２４や利用者の携帯電話１８の操作により、ガイドブックデータ２９に写真（ディジタル画像データ）やメッセージを貼り付けたり、利用者の希望に応じて、アルバムの構成やレイアウト等の修正、変更を可能にする支援プログラムである。即ち、アルバム加工用の編集操作を受け付ける。選択画面は、例えば、ネットワーク１２を通じて利用者の端末装置２４に表示される。選択画面は利用者が操作して、任意の旅行案内データ２８を、単位エリア毎に選択するために使用される。選択方法は任意である。単位エリア毎に旅行案内データ２８を選択させるための画面構成も任意である。選択をした結果を示す情報が選択情報３０である。
【００２６】
以上のシステムで、利用者は、利用者の端末装置２４を操作して、単位エリアを自由に選択して組み合わせたものを注文する。ガイドブックデータ２９をネットワーク１２を通じて、利用者の端末装置２４にダウンロードすることもできる。旅行者が予定した旅行先を案内するための、必要最小限の旅行案内情報を単位エリアの旅行案内データ２８とするとよい。この単位エリアの広さは旅行案内を作成する側で自由に定めるとよい。内容も任意である。旅行案内データ２８は、印刷が可能な電子化されたデータである。単位エリア毎の旅行案内データ２８を、データのままダウンロードさせたり、あるいは印刷製本をして販売する。管理コンピュータの記憶装置２６は複数台あって構わない。何処にあってもよい。各旅行案内データ２８はネットワーク１２を通じて接続された任意の記憶装置に記憶されていればよい。ガイドブックを生成するときに編集手段４０が取得できればよい。
【００２７】
図２は選択画面８２とガイドブックの表紙９８とガイドブックのページ１００の実施例を示す説明図である。
選択画面８２は図２（ａ）に示すように、表題８４と旅行日８６と旅行先８８とを入力するテキストボックスを備えている。また、旅行先８８を入力するときに該当する単位エリアを選択できるように、検索ボタン９０が設けられている。この検索ボタン９０をクリックすると、例えば、北海道地方で用意されたいくつかの旅行案内データのリストが表示される。さらに、ガイドブック４７をダウンロードするか製本されたものを受け取るかを選択するためのオプションボタン９２が設けられている。なお、指定した納品態様でのガイドブックの価格も計算して表示できる。このほかに、携帯電話のメールアドレス９３や、アルバムの注文部数９５等の入力も受け付ける。
【００２８】
選択操作を終了すると、注文ボタン９４をクリックして発注をする。また、操作をやり直すときは、キャンセルボタン９６をクリックする。ガイドブックの表紙９８は、図２（ｂ）に示すように、表題８４や旅行日８６や旅行先８８等を利用してデザインされる。さらに様々なカットを付加して装飾するとよい。ガイドブックのページ１００は図２（ｃ）に示すように、旅行先の訪問日を表示するとともに、地図や見どころ等を表示する。また、訪問日が特定されているから、該当する当日のイベント等を表示できる。
【００２９】
図３は、本発明によるガイドブックの具体例を示す説明図である。
図３に示すガイドブック４７は、既に説明したように、任意の数の単位エリアの旅行案内データ２８を集めて組み合わせて編集したものである。ガイドブック４７の目次ページ１１０を図３の下側に示した。各旅行案内データ２８は、旅行先の地図やお勧め観光ルート、交通機関の時刻表や運賃表などを含んでいる。そのある本文ページ１１１に、この図に示すように、撮影スポットで撮影した写真を貼り付けるための写真枠１１２を設ける。
【００３０】
即ち、ガイドブック４７には、予め出版元で選定した写真撮影場所の表示と、当該写真撮影場所で撮影した写真を添付するための写真枠１１２とを含める。また、各写真枠１１２には、それぞれ貼り付けるべき写真とマッチングをとるために、識別情報１１３が表示されている。なお、この例では、本文ページ１１１に写真枠１１２のほかに、メッセージ枠１１４が設けられている。これは、写真の説明やその他、任意の文字や文章を入力することができる場所であって、アルバム編集手段４５の制御により入力処理をすることができる。
【００３１】
ガイドブックの写真枠１１２には、どの場所でどのようなアングルで写真撮影をするとよいかを示す説明などを記入しておくとよい。また、識別情報１１３は、例えば、ディジタルカメラで写真を撮った時、各写真のファイル名に使用するとよい。これによって、どの写真がどの写真枠１１２に貼り付けられるべきものか自動的に判断できる。従って、アルバムの自動編集が可能である。以上のように、ガイドブック４７の任意のページに予め写真枠１１２やメッセージ枠１１４を設けておくと、このガイドブック４７を使用して観光旅行を行い、帰宅してから撮影した写真を写真枠１１２に貼り付け、コメントを書き込むことによって、旅行ガイドを含めたアルバムが完成する。
【００３２】
図４は、本発明の旅行アルバム提供システムの応用例を示す説明図である。
上記のように各旅行案内データに写真枠１１２を含めておき、製本されたガイドブック４７を利用者に提供すると、旅行後にそのままアルバムとして残しておくことができる。利用者は、旅行前に製本したガイドブックを受け取り、旅行中に様々なコメントをガイドブックに書き込んで、旅行後に現像をした写真を貼るといった方法で、アルバムが完成する。
【００３３】
ここで、例えば、旅行先で携帯電話を用いて写真撮影をすることが盛んになっている。この実施例では、携帯電話で撮影した写真をメールで送信して、自動的にアルバムを作成する。即ち、まず、旅行前にガイドブックを取得する一方、管理コンピュータ１４側には、ガイドブックデータ４９を保存しておく。旅行中に携帯電話１８で写真を撮影し、その写真を管理コンピュータ１４に送信する。これにより、旅行終了後には、製本されたアルバムを受け取ることが可能になる。
【００３４】
図４に示す処理（Ａ１）では、利用者は利用者の端末装置２４を使用して、管理コンピュータ１４に接続し、旅行プランを入力する。こうして旅行案内データを選択し、ガイドブックの注文を行う。管理コンピュータ１４では、ガイドブック編集手段４０（図１）によってガイドブックの編集が行われる。ガイドブック４７が製本されると、利用者宅まで郵送される（Ａ２）。このガイドブック４７は、旅行カバン１２０などに入れて旅行に持ち歩かれる。
【００３５】
一方、メール管理手段４４は、予め、アルバム編集情報３６を取得しておく。このアルバム編集情報３６には、利用者の携帯電話のメールアドレスと旅行日とそのガイドブックデータの識別番号等が含まれている。メール管理手段４４は、このアルバム編集情報３６を参照して、該当する旅行日以前にそのメールアドレスに対して、アルバム用データ要求メールを送信する（Ａ３）。このアルバム用データ要求メールには、例えば、お勧め撮影スポット名や識別情報１１３を含め、撮影した写真のディジタル画像データを添付して返送するように要求する文を含める。また、その写真に関連するメッセージの返信を要求する文を含める。
【００３６】
即ち、一方、管理コンピュータ１４の側では、メール管理手段４４が、ガイドブック編集の際に取得した選択情報３０を解析し、利用者の旅行先へ送信するメールメッセージを生成する。メール管理手段４４は、旅行日に応じてメールメッセージを選択し、利用者の携帯電話１８に対し、アルバム用データ要求メールを送信する。利用者は、ガイドブック４７を見ながら旅行をし、タイムリーに受信されるアルバム用データ要求メールに従って、撮影スポットで携帯電話１８を用いて撮影を行う。その写真データは、貼り付け場所の表示と共にメールで管理コンピュータ１４に送信される（Ａ４）。
【００３７】
メール管理手段４４がディジタル画像データやメッセージを含むアルバム用データを取得すると、アルバム編集手段４５は、アルバム用データを、ガイドブックデータ２９の該当する写真枠中に貼り付けて、ガイドブックデータとディジタル画像データの合成処理を実行する。そして、そのガイドブックデータ２９をウェブサーバの記憶装置５４に記憶させて、利用者の携帯電話１８や利用者の端末装置２４から閲覧できるようにする。
【００３８】
利用者は、さらに、追加メッセージがあれば、メッセージの貼り付け場所の情報を含めて管理コンピュータに送信する。アルバム編集手段４５は、これらの情報を受信し、アルバムを編集する。また、利用者は、携帯電話１８や利用者の端末装置２４をウェブサーバ１６に接続して、撮影した写真やメッセージを直接アップロードし、自分でガイドブックデータ２９を編集してアルバムデータ３７を作成できる（Ａ５）。このときは、図２に示した本文ページ１１１を表示装置に表示して、一般の文書処理用アプリケーションを使用して、アルバムの部分修正等をすることもできる。
【００３９】
なお、例えば、ディジタル画像データが何枚も一括して送信されたときには、アルバム編集手段４５は、各写真枠１１２を他の写真枠と区別するための識別情報の表示を利用して、ディジタル画像データに含まれた識別情報といずれかの写真枠中に表示された識別情報とが一致したとき、当該写真枠中に、前記ディジタル画像データを貼り付けて、前記ガイドブックデータとディジタル画像データの合成処理を実行する。この合成処理方法は任意であるが、例えば、ＨＴＭＬ文書データであれば、ディジタル画像データファイル名と画像サイズを特定する情報を含むタグをガイドブックデータ２９中に書き込めばよい。
【００４０】
旅行が終了して、ガイドブックデータ２９の編集結果の確認が終わると、携帯電話１８から編集終了確認メッセージが管理コンピュータに送信される（Ａ６）。アルバム編集手段４５は、これにより編集処理を終了し、編集結果をアルバム出力手段４６に送信する。こうして製本装置４８でアルバム７０が製本され、利用者の元に送り届けられる（Ａ７）。このアルバム７０は、旅行記念として本棚１２１などにそのまま保管できるもので、ガイドブックと組み合わされているため、旅行全体を思い出すことができ、記念品として極めて価値の高いものになる。さらに、グループ旅行や団体旅行などでは、参加者分だけのアルバムを旅行終了時にただちに注文できるという効果もある。
【００４１】
図５は、旅行アルバム提供システムの具体的なアルバム作成処理動作を示すフローチャートである。
まず、ステップＳ１１〜１９の処理で、ガイドブックを受注する。ステップＳ１１では、図２に示した選択画面８２の表示をする。この処理はデータ選択制御手段６０が実行する。選択画面８２は、利用者の端末装置２４に表示される。ステップＳ１２では、データ選択制御手段６０が選択情報３０の受け付けをする。ステップＳ１３では、旅行案内データ２８の選択をする。その結果得られた選択情報３０は管理コンピュータの記憶装置２６に記憶される。
【００４２】
ステップＳ１４では、ガイドブックデータの編集をする。この処理はガイドブック編集手段４０が、管理コンピュータの記憶装置２６に記憶された選択情報３０と旅行案内データ２８を読みとって行う。その結果は管理コンピュータの記憶装置２６に記憶される。ステップＳ１５では、料金計算をして、選択画面８２に料金表示をする。ステップＳ１６では、受注があったかどうかの判断をする。図２の選択画面８２の注文ボタン９４がクリックされると受注があったと判断する。受注があったときはステップＳ１７の処理に移行する。
【００４３】
ステップＳ１７では、利用者の認証やクレジットカード番号の入力等による決済処理をする。ステップＳ１８では、ガイドブック出力手段４２が製本装置４８を駆動して、ガイドブック４７を製本する。また、例えば、利用者がガイドブックのダウンロードを希望している場合には、ステップＳ１８でダウンロード制御をする。その後、ガイドブック編集手段４０は、ステップＳ１９で、管理コンピュータの記憶装置２６にガイドブックデータ２９の保存をする。
【００４４】
次に、メール管理手段４４は、ステップＳ２０でアルバム編集情報収集をする。この処理は、管理コンピュータの記憶装置２６に記憶された旅行案内データ２８や選択情報３０を読みとって行う。その結果はステップＳ２１で、管理コンピュータの記憶装置２６に記憶される。ステップＳ２２では、携帯電話アドレスと旅行日登録をする。その後、ステップＳ２３で、旅行開始日まで待機する。旅行開始日あるいはその前日くらいに、ステップＳ２４の処理に移行するとよい。
【００４５】
ステップＳ２４では、アルバム用データの受信処理をする。具体的な処理内容は図６を用いて説明する。ステップＳ２５では、旅行が終了したかどうかの判断をする。旅行中はステップＳ２４とステップＳ２５の動作を繰り返す。ステップＳ２６で「編集終了確認メッセージを受け付けたと判断すると、ステップＳ２７の処理に移行する。ステップＳ２７では、アルバムの印刷と発送処理を実行する。
【００４６】
図６はメール管理手段の動作を説明するフローチャートである。
ステップＳ３１で、メール管理手段４４は、ガイドブックを発行した全ての利用者について、アルバム編集情報３６を参照して、旅行日前日かどうかの判断をする。旅行日前日のときは、ステップＳ３２の処理に移行する。ステップＳ３２では、該当日のアルバム編集情報から、メールアドレス等の情報を取得し、ステップＳ３３で、アルバム用データ要求メールの編集をする。続いて、ステップＳ３４で、アルバム用データ要求メールの送信をする。このメールは、利用者にとって、撮影ポイントを見逃さないように案内をしたり、旅行スケジュールのアドバイスをするのに役立つ。利用者は携帯電話を使用して記念写真を撮影すると、写真と貼り付け場所を含むアルバム用データを返信する。メール管理手段４４はステップＳ３５でこれを受信する。
【００４７】
その結果は、アルバム編集手段４５にわたされる。アルバム編集手段４５はステップＳ３６で、ガイドブックデータ２９を使用して写真編集処理をする。また、ステップＳ３７では、利用者の携帯電話１８からメッセージと貼り付け場所を示すアルバム用データを受信する。その結果もアルバム編集手段４５にわたされる。アルバム編集手段４５はステップＳ３８で、ガイドブックデータ２９を使用してメッセージ編集処理をする。ステップＳ３９では、次の旅行日があるかどうかの判断をする。旅行の最終日でなければ、再度アルバム編集情報３６を読み取って、次のメールを編集する。以上の処理を繰り返すことにより、旅行中に写真やメッセージを利用者の携帯電話等から取得することができる。
【００４８】
図７は、アルバム編集手段４５が利用者の要求によりガイドブックデータ２９を編集処理するときの動作フローチャートである。
まず、ステップＳ４１では、アルバム編集処理要求を受信する。これは、利用者の携帯電話１８または利用者の端末装置２４からの要求になる。アルバム編集手段４５は、ステップＳ４２で、アルバム編集を許可するために認証処理を実行する。認証が終了すると、ステップＳ４３で、ガイドブックの表示をする。その後は、一般の文書処理と同様にして、例えば、写真枠１１２の位置を変更したり、追加したりする処理を許容する。ステップＳ４４では、写真貼り付け場所を指定する情報の受付をする。
【００４９】
ステップＳ４５では、写真のアップロードを受付ける。この処理では、利用者がガイドブックデータ中の写真貼り付け場所を直接指定する。ステップＳ４６では、メッセージ入力場所を指定する情報を受付ける。ステップＳ４７では、該当するメッセージの入力受付をする。ステップＳ４８では、その他の編集指示受付をする。メッセージは、ガイドブックデータ中に直接入力するようにしてもよい。
【００５０】
ここで、ステップＳ４９で、編集処理が終了したかどうかの判断をする。この判断の結果がイエスのときはステップＳ５０の処理に移行し、ノーのときは初めに戻ってアルバムの編集処理を繰り返す。ステップＳ５０では、アルバムの発送部数の変更入力受付をする。発送部数は、ガイドブック４７の受注時に受付けているが、ここで数を確定させる。ステップＳ５１では、上記の結果に基づいて、アルバム代金の決済処理をする。最後にアルバム出力手段４６は、アルバム編集手段４５から編集済みのガイドブックデータ２９を受信して、ステップＳ５２で製本管理データを生成する。さらに、ステップＳ５３では、発送管理データの生成をする。これらのデータはプリンタ４９により印刷される。また、アルバムは製本装置４８により印刷され製本されて利用者に発送される。
【００５１】
なお、上記の演算処理装置にインストールされたコンピュータプログラムは、それぞれ独立したプログラムモジュールを組み合わせて構成してもよいし、全体を一体化したプログラムにより構成してもよい。コンピュータプログラムにより制御される処理の全部または一部を同等の機能を備えるハードウエアで構成しても構わない。また、上記のコンピュータプログラムは、既存のアプリケーションプログラムに組み込んで使用してもよい。上記のような本発明を実現するためのコンピュータプログラムは、例えばＣＤ−ＲＯＭのようなコンピュータで読み取り可能な記録媒体に記録して、任意の情報処理装置にインストールして利用することができる。また、ネットワークを通じて任意のコンピュータのメモリ中にダウンロードして利用することもできる。
【図面の簡単な説明】
【００５２】
【図１】実施例１の旅行アルバム提供システムを示すブロック図。
【図２】選択画面とガイドブックの表紙及び本文ページを示す説明図。
【図３】本発明のガイドブックの具体例を示す説明図。
【図４】旅行アルバム提供システムの応用例を示す説明図。
【図５】旅行アルバム提供システムのアルバム作成処理動作を示すフローチャート。
【図６】メール管理手段の動作を説明するフローチャートである。
【図７】ガイドブックデータを編集処理するときの動作フローチャート。
【符号の説明】
【００５３】
１２  ネットワーク、１４  管理コンピュータ、１６  ウェブサーバ、１８  利用者の携帯電話、２４  利用者の端末装置、２６  管理コンピュータの記憶装置、２８  旅行案内データ、２９  ガイドブックデータ、３０  選択情報、３４  顧客情報、３６  アルバム編集情報、３７  アルバムデータ、３８  管理コンピュータの演算処理装置、４０  ガイドブック編集手段、４２  ガイドブック出力手段、４４  メール管理手段、４５  アルバム編集手段、４６  アルバム出力手段、４７  ガイドブック、４８  製本装置、５４  ウェブサーバの記憶装置、５６  選択画面データ、５８  ウェブサーバの演算処理装置、６０  データ選択制御手段、６２  再編集処理手段。
【図１】
2005275770.tif 000003
【図２】
2005275770.tif 000004
【図３】
2005275770.tif 000005
【図４】
2005275770.tif 000006
【図５】
2005275770.tif 000007
【図６】
2005275770.tif 000008
【図７】
2005275770.tif 000009